(57)【要約】【課題】肘置きを備える血圧測定装置において、測定者に対して正しい測定姿勢であることを容易に促すことのできる構成を備える血圧測定装置を提供する。【解決手段】腕置き１００が下方に撓んだことを撓み検知手段１１０により検知し、その情報を表示部４Ｂを介して測定者２００に報知する。表示部４Ｂには、部分的に色を変える表示や、点滅表示を行なうことで、測定者２００に対して、測定姿勢が正しくないことを報知する。【選択図】図９
2010136924.tif 000002
【特許請求の範囲】
【請求項１】
測定者の上腕が軸方向に沿って前側から挿入される中空部を有する上腕挿入部と、前記上腕挿入部が連結される本体部とを備えた血圧測定装置であって、
前記本体部の上面に設けられる肘置き面と、
前記肘置き面の後側に設けられ、測定者の腕を載置するための腕置き面を有する腕置きと、を備え、
前記腕置きは、前記腕置きに測定者の腕が載置された状態において、前記腕置きの下方への撓みを検知するための撓み検知手段を有し、
当該血圧測定装置は、前記撓み検知手段により前記腕置きの下方への撓みが検知された場合に、測定者に前記腕置きの下方への撓みが検知されたことを報知するための報知手段を有する、血圧測定装置。
【請求項２】
前記腕置きは、前記本体部との連結部に設けられた回動軸(130a)を中心として、前記本体部に対して、前記腕置き面が前記肘置き面に近接する位置と、前記腕置き面と前記肘置き面とが略面一の状態となる位置との間を回動自在に連結され、
前記撓み検知手段は、前記腕置き面と前記肘置き面とが略面一の状態となる位置を基準として、前記腕置き面が前記肘置き面より下方側に回動した状態を検知する、請求項１に記載の血圧測定装置。
【請求項３】
前記報知手段は、前記腕置きの下方への撓みが検知された場合に、当該血圧測定装置に設けられた表示部に、撓みが検知された状態を表示する、請求項１または２に記載の血圧測定装置。
【発明の詳細な説明】
【技術分野】
【０００１】
本発明は、血圧測定装置に関し、特に、カフを上腕に対して自動的に巻き付けるカフ自動巻付機構を備えた上腕式の血圧測定装置に関する。
【背景技術】
【０００２】
通常、血圧値の測定は、生体内部に位置する動脈を圧迫するための生体圧迫用流体袋を備えたカフを生体の体表面に巻き付け、その後、生体圧迫用流体袋を膨張・収縮させることによって動脈内に生じる動脈圧脈波の検出を行ない、これによって血圧値の測定を行なう。
【０００３】
ここで、カフとは、内腔を有する帯状の構造物であって生体の一部に巻き付けが可能なものを意味し、気体や液体等の流体を内腔に注入することによって上下肢の動脈圧測定に利用されるもののことを指す。したがって、カフは、生体圧迫用流体袋とこの生体圧迫用流体袋を生体に巻き付けるための巻き付け部材とを含めた概念を示す言葉である。
【０００４】
従来の上腕式の血圧測定装置においては、上腕へのカフの巻き付け作業を測定者等の手に委ねていたため、測定毎にカフの巻き付け強さにばらつきが生じ、結果として測定される血圧値にもばらつきが生じていた。このため、近年においては、自動的に上腕へカフを巻き付けることが可能な自動カフ巻付機構を備えた血圧測定装置が普及している。
【０００５】
この自動カフ巻付機構を搭載した血圧測定装置においては、血圧測定装置の所定位置に上腕を軸方向に沿って前側から挿入可能な上腕挿入部が設けられ、測定者はこの上腕挿入部に形成された中空部に上腕を軸方向に沿って前側から挿入するだけの作業により、カフが上腕に巻き付けられることになる。当該血圧測定装置においては、一定の巻き付け強さが測定毎に再現されるようになるため、安定した測定精度が実現されるばかりでなく、煩雑な巻き付け作業が不要になるというメリットも得られる。
【０００６】
このような自動カフ巻付機構を備える血圧測定装置としては、下記特許文献１および２が挙げられる。これらの血圧測定装置を用いることで、日常の健康管理として、血圧値を日々測定、管理することが可能となることから、家庭向けの血圧測定装置が普及している。これらの血圧測定装置では、日々血圧を記録し、時間経過による血圧の変動を表示することで、心血管系のリスクに対する自己診断に用いられている。
【特許文献１】特開２００６−０００３３７号公報
【特許文献２】特開２００５−３３４０４９号公報
【発明の開示】
【発明が解決しようとする課題】
【０００７】
上記特許文献１および２に開示される血圧測定装置においては、測定者への負荷を軽減する目的から、上腕挿入部に肘置きが設けられている。しかし、肘置きを設けた場合には、この肘置きに過剰な力が加わった状態で測定される場合があり、この場合には、正しい測定結果が得られ難い場合が生じ得る。
【０００８】
一方、正しい測定姿勢を促すために、肘置きに肘が載置されたことを検出するための圧力センサを肘置きに設けることも考えられる。しかし、肘の位置を検知する場合、腕の太さ、形状により固体差があるため、肘の位置を検知できない場合がある。
【０００９】
また、測定者が無理に検知させようと腕全体に加重をかけてしまう結果姿勢が崩れ、正しい血圧値を測定できない場合も考えられる。さらに、肘置きに正しく肘を置いた場合であっても、腕を上下左右に曲げた場合にも、血圧値を正確に測定することができず、特に左右に曲げると動脈がカフによって正しく圧迫されないため、正しい血圧値測定ができないことも懸念される。
【００１０】
したがって、本発明は、上述の問題点を解決するためになされたものであり、肘置きを備える血圧測定装置において、測定者に対して正しい測定姿勢であることを容易に促すことのできる構成を備える血圧測定装置を提供することを目的とする。
【課題を解決するための手段】
【００１１】
本発明に基づいた血圧測定装置においては、測定者の上腕が軸方向に沿って前側から挿入される中空部を有する上腕挿入部と、上記上腕挿入部が連結される本体部とを備えた血圧測定装置であって、上記本体部の上面に設けられる肘置き面と、上記肘置き面の後側に設けられ、測定者の腕を載置するための腕置き面を有する腕置きと、を備えている。
【００１２】
上記腕置きは、上記腕置きに測定者の腕が載置された状態において、上記腕置きの下方への撓みを検知するための撓み検知手段を有している。当該血圧測定装置は、上記撓み検知手段により上記腕置きの下方への撓みが検知された場合に、測定者に上記腕置きの下方への撓みが検知されたことを報知するための報知手段を有している。
【発明の効果】
【００１３】
本発明に基づいた血圧測定装置によれば、測定者が正しい測定姿勢により肘置き面に肘を載置して、腕置き面に腕を載置した場合には、腕に不必要な力が加わらないため、腕置きが下方に撓むことはない。しかし、測定者の測定姿勢が正しくない場合には、腕に不必要な力が加わる結果、腕置きが下方に撓むことになる。この腕置きの下方への撓みを撓み検知手段により検知することで、測定者に対して報知手段を用いて測定姿勢が正しくないことを報知することが可能となる。その結果、測定者の測定姿勢が正しい姿勢に促され、正確な血圧測定結果を得ることが可能となる。
【発明を実施するための最良の形態】
【００１４】
以下、本発明に基づいた実施の形態におけるに血圧測定装置ついて、図を参照して詳細に説明する。なお、以下に示す血圧測定装置は、自動カフ巻付機構を備えており、この自動カフ巻付機構によって上腕へのカフの巻付けが行なわれるものである。
【００１５】
図１および図２は、本発明の実施の形態における血圧測定装置の外観構造を説明するための図であり、図１は、本実施の形態における血圧測定装置を右斜め上方から見た場合の斜視図、図２は、左斜め下方から見上げた場合の斜視図である。なお、図１は、上腕の挿入が可能となる位置に上腕挿入部を回動させた状態における斜視図であり、図２は、血圧測定装置の非測定状態における斜視図である。まず、これらの図を参照して、本実施の形態における血圧測定装置の外観構造について説明する。
【００１６】
（血圧測定装置１Ａの構成）
図１および図２に示すように、本実施の形態における血圧測定装置１Ａは、机等の載置面に載置される本体部２と、測定者の上腕が軸方向に沿って前側から挿入される中空部５ａを有する上腕挿入部５とを備えている。本体部２は、本体部ケーシング３によって覆われており、この本体部ケーシング３の内部には、主として各種エア系コンポーネントやＣＰＵ等が収容されている。
【００１７】
本体部ケーシング３の上面には、載置面に載置された状態において、前後方向に緩やかに傾斜（前側が低く、後側が高い）し、左右方向に湾曲する肘置き面３ａが形成されている。なお、前後方向の前側とは、測定者の使用状態において、測定者に近い側を意味し、前後方向の後側とは、測定者の使用状態において、測定者から遠ざかる側を意味する（図６および図７参照）。
【００１８】
上腕挿入部５は、筒状部としての略円筒状に形成された上腕挿入部ケーシング６とこの上腕挿入部ケーシング６の内周面上に配置されたカフ７とを含んでいる。上腕挿入部ケーシング６の表面上には、電源の投入に用いられる電源ボタンや測定動作を開始させるための測定ボタン、表示部の操作を行なう表示部操作ボタンなどの種々のボタンが配置された操作部４Ａが設けられている。また、上腕挿入部ケーシング６の表面の略中央領域には、測定結果や操作ガイド等を表示するための表示部４Ｂが設けられている。
【００１９】
上腕挿入部５は、回動軸を含む回動連結機構２ａによって本体部２の前側において、前後方向に回動自在に連結されている。具体的には、本体部２の測定者側に位置する前方端寄りの本体部ケーシング３内に内蔵配置された回動軸を回転中心として、本体部ケーシング３と上腕挿入部ケーシング６とが図１中矢印Ａ方向に回動自在に連結されている。
【００２０】
（腕置き１００）
さらに、本実施の形態における血圧測定装置１Ａの、本体部ケーシング３の肘置き面３ａの後側には、測定者の腕を載置するための腕置き面１００ａを有する腕置き１００が設けられている。腕置き面１００ａは、肘置き面３ａと同様に、前後方向に緩やかに傾斜（前側が低く、後側が高い）し、左右方向に湾曲している。
【００２１】
腕置き１００の下面側には、回動軸１３０ａ（図８、図９参照）を内蔵した支持プレート１３０が設けられ、この支持プレート１３０を回動可能に支持するベース部材１４０が、本体部ケーシング３の後側側面に着脱可能に連結されている。
【００２２】
（撓み検知手段１１０）
この腕置き１００には、腕置き１００に測定者の腕が載置された状態において、腕置き１００の下方への撓みを検知するための撓み検知手段１１０が設けられている。撓み検知手段１１０としては、腕置き１００の内部や回動軸１３０ａに、マイクロスイッチ、加速度センサ、角度センサ、磁気センサ等のセンサを組み込むことで、腕置き１００の下方への撓みを検知することができる。図１には、腕置き１００の内部に加速度センサを実装した基板１１０を設けた場合を図示している。
【００２３】
（腕置き１００の動作）
次に、図３および図４を参照して、腕置き１００の動作について説明する。図３は、腕置き１００が回動軸１３０ａを中心として、本体部２に対して、腕置き面１００ａが肘置き面３ａに近接した状態を示し、図４は、腕置き面１００ａと肘置き面３ａとが略面一の状態となる位置に、腕置き１００が回動軸１３０ａを中心として回転移動（図４中Ｂの矢印で示す回転方向）した状態を示す図である。
【００２４】
通常の血圧測定状態においては、図４に示すように、腕置き面１００ａと肘置き面３ａとが略面一の状態となる位置を基準位置として、測定者の血圧測定が行なわれる。測定者の姿勢が正しくない場合には、腕に不必要な力が加わる結果、腕置き１００が下方に撓むことになる（図４中Ｃの矢印で示す回動軸１３０ａを中心とした回動方向）。この腕置き１００の下方への撓みを撓み検知手段１１０により検知する。
【００２５】
（血圧測定装置１Ａの機能ブロック）
次に、図５を参照して、本実施の形態における血圧測定装置１Ａの機能ブロックについて説明する。図５は、本実施の形態における血圧測定装置１Ａの機能ブロックの一例を示す図である。なお、血圧測定装置１Ａの機能ブロックは、図５に示す機能ブロックに限定されるものではない。図５に示すように、上述のカフに含まれる生体圧迫用空気袋８は、生体圧迫用エア系２０にエアチューブによって接続されている。また、生体圧迫用エア系２０は、ＣＰＵ４０によってその動作が制御される。
【００２６】
生体圧迫用エア系２０は、エアポンプ２１と、エアバルブ２２と、圧力センサ２３とを含んでいる。エアポンプ２１は、生体圧迫用空気袋８の内腔を加圧するための手段であり、ＣＰＵ４０からの指令を受けたエアポンプ駆動回路２６によって駆動され、測定時において生体圧迫用空気袋８の内腔の圧力が所定の圧力となるように圧縮気体を内腔に送り込む。
【００２７】
エアバルブ２２は、生体圧迫用空気袋８の内腔の圧力を維持したり、あるいは減圧したりするための手段であり、ＣＰＵ４０からの指令を受けたエアバルブ駆動回路２７によってその開閉状態が制御され、測定時においてエアポンプ２１によって高圧状態となった生体圧迫用空気袋８の内腔の圧力の維持および減圧を行なうとともに、測定終了後において生体圧迫用空気袋８の内腔を大気圧に復帰させる。
【００２８】
圧力センサ２３は、生体圧迫用空気袋８の内腔の圧力を検出するための手段であり、測定時において時々刻々と変化する生体圧迫用空気袋８の内腔の圧力を検出し、その検出値に応じた信号を増幅器２８に対して出力する。増幅器２８は、圧力センサ２３から出力される信号を増幅し、Ａ／Ｄコンバータ２９に出力する。Ａ／Ｄコンバータ２９は、増幅器２８から出力されたアナログ信号をデジタル化し、ＣＰＵ４０に出力する。
【００２９】
ＣＰＵ４０は、血圧計の本体部２に設けられた操作部４Ａに入力された指令に基づいて生体圧迫用エア系１２０の制御を行なうとともに、測定結果を表示部４Ｂやメモリ部４１に出力する。なお、メモリ部４１は、測定結果を記憶するための手段である。
【００３０】
また、ＣＰＵ４０には、撓み検知手段１１０からの信号が入力され、撓み検知手段１１０から信号が入力された場合には、測定者に腕置き１００の下方への撓みが検知されたことが表示部４Ｂを介して、測定者に報知される。
【００３１】
本実施の形態における血圧測定装置１Ａにおいては、図５に示す各機能ブロックのうち、生体圧迫用空気袋８、圧力センサ２３、および、撓み検知手段１１０を除くすべての機能ブロックが本体部ケーシング３内に収容されている。
【００３２】
（血圧測定装置１Ａにおけるカフの装着手順）
次に、図６および図７を参照して、血圧測定装置１Ａにおけるカフ７の装着手順について説明する。図６は、本実施の形態における血圧測定装置１Ａにおけるカフ７の装着手順を示す模式図であり、上腕挿入部の中空部に腕を挿し込む様子を示す図である。また、図７は、装着後の測定姿勢を示す模式図である。なお、これらの図においては、左腕で血圧値を測定する場合を想定している。
【００３３】
図６に示すように、本実施の形態における血圧測定装置１Ａを用いて血圧値を測定する場合には、水平な載置面を有する机３００上に血圧測定装置１Ａの本体部２を載置して、測定者２００は椅子２３０に着席する。
【００３４】
上腕挿入部５を図中の矢印Ａ１方向に回動させるとともに、腕置き１００を、腕置き面１００ａと肘置き面３ａとが略面一の状態となる位置に、腕置き１００を矢印Ｂ１方向に回転移動させる。上腕挿入部５の傾角を調整しつつ、左手を上腕挿入部５の中空部５ａに挿し込む。左手を中空部５ａ内の奥に向かってさらに挿し込むことにより、腕２１０を経由して上腕挿入部５内に設けられたカフが上腕２２０に面する位置にくるまで左腕を深く挿し込む。
【００３５】
次に、中空部５ａに挿し込んだ左腕の肘を肘置き面３ａに載置するとともに、腕２１０を腕置き面１００ａに載置することにより、図７に示す測定姿勢となる。なお、このとき、上腕挿入部５は左腕の動きに追従して図中矢印Ａ２方向に回動し、最終的に左腕の上腕２２０の傾角に応じた角度位置にて留まることになる。
【００３６】
（測定姿勢における上腕２２０および腕２１０の状態）
次に、図８および図９を参照して、測定姿勢における上腕２２０および腕２１０の状態について説明する。図８は、測定姿勢が正しい場合における、上腕２２０および腕２１０の測定状態を示す模式図であり、図９は、測定姿勢が正しくない場合における、上腕２２０および腕２１０の測定状態を示す模式図である。
【００３７】
図８に示すように、測定者２００の測定姿勢が正しい場合、つまり、左腕の肘２２０ａが肘置き面３ａに載置されるとともに、腕２１０が腕置き面１００ａに載置された状態においては、上腕２２０は、上腕挿入部５の中空部５ａの略中央に位置している。また、腕２１０には、不要な力が入っていないため、腕置き１００が下方に撓むことはない。その結果、カフが適切な状態で上腕２２０に巻き付くことができるため、正確な血圧測定結果を得ることが可能となる。
【００３８】
一方、図９に示すように、測定者２００の測定姿勢が正しくない場合、つまり、左腕の肘２２０ａが肘置き面３ａから離れた状態の場合（図中Ｘで囲まれる領域）には、腕２１０に不必要な力Ｆが加わるために、腕置き１００が下方に撓むことになる。この状態では、上腕２２０は、上腕挿入部５の中空部５ａの上方に偏って位置している。そのため、この状態のまま血圧測定を行なっても、正確な血圧測定結果を得ることができない。
【００３９】
そこで、図９に示す測定状態の場合には、腕置き１００が下方に撓んだことを撓み検知手段１１０により検知し、その情報を表示部４Ｂを介して測定者２００に報知する。表示部４Ｂには、図１０に示すように、部分的に色を変える表示４０Ａや、点滅表示４０Ｂを行なうことで、測定者２００に対して、測定姿勢が正しくないことを注意・喚起する報知を行なう。
【００４０】
また、音声を用いて「測定姿勢が正しくありません」とのアナウンスを行なうことや、測定結果の信頼性が低いレベルであることを報知することも可能である。さらに、腕置き１００が下方に撓んだことを撓み検知手段１１０により検知している間は、ＣＰＵ４０により血圧測定を行なうことができないような制御方法を採用することも可能である。
【００４１】
以上、本実施の形態における血圧測定装置１Ａによれば、測定者２００が正しい測定姿勢により肘置き面３ａに肘を載置し、腕置き面１００ａに腕２１０を載置した場合には、腕２１０に不必要な力が加わらないため、腕置き１００が下方に撓むことはない。しかし、測定者の測定姿勢が正しくない場合には、腕２１０に不必要な力が加わる結果、腕置き１００が下方に撓むことになる。
【００４２】
この腕置き１００の下方への撓みを撓み検知手段１１０により検知することで、測定者２００に対して表示部４Ｂを用いて測定姿勢が正しくないことを報知することが可能となる。その結果、測定者２００の測定姿勢が正しい姿勢に促され、正確な血圧測定結果を得ることが可能となる。
【００４３】
なお、今回開示した上記実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００４４】
【図１】本実施の形態における血圧測定装置を右斜め上方から見た場合の斜視図である。
【図２】本実施の形態における血圧測定装置を左斜め下方から見上げた場合の斜視図である。
【図３】本実施の形態における血圧測定装置の腕置きが回動軸を中心として、本体部に対して、腕置き面が肘置き面に近接した状態を示す図である。
【図４】本実施の形態における血圧測定装置の腕置き面と肘置き面とが略面一の状態となる位置に、腕置きが回動軸を中心として回転移動した状態を示す図である。
【図５】本実施の形態における血圧測定装置の機能ブロックの一例を示す図である。
【図６】本実施の形態における血圧測定装置におけるカフの装着手順を示す模式図である。
【図７】本実施の形態における血圧測定装置におけるカフの装着後の測定姿勢を示す模式図である。
【図８】本実施の形態における血圧測定装置におけるカフの測定姿勢が正しい場合における、上腕および腕の測定状態を示す模式図である。
【図９】本実施の形態における血圧測定装置におけるカフの測定姿勢が正しくない場合における、上腕および腕の測定状態を示す模式図である。
【図１０】本実施の形態における血圧測定装置における報知手段の一例を示す図である。
【符号の説明】
【００４５】
１Ａ  血圧測定装置、２  本体部、２ａ  回動連結機構、３  本体部ケーシング、３ａ  肘置き面、４Ａ  操作部、４Ｂ  表示部、５  上腕挿入部、５ａ  中空部、６  上腕挿入部ケーシング、７  カフ、８  生体圧迫用空気袋、２０  生体圧迫用エア系、２１  エアポンプ、２２  エアバルブ、２３  圧力センサ、２６  エアポンプ駆動回路、２７  エアバルブ駆動回路、２８  増幅器、２９  Ａ／Ｄコンバータ、４０  ＣＰＵ、４０Ａ  表示、４０Ｂ  点滅表示、４１  メモリ部、１００  腕置き、１００ａ  腕置き面、１１０  撓み検知手段、１２０  生体圧迫用エア系、１３０  支持プレート、１３０ａ  回動軸、１４０  ベース部材、２００  測定者、２１０  腕、２２０  上腕、２２０ａ  肘、２３０  椅子、３００  机。
【図１】
2010136924.tif 000003
【図２】
2010136924.tif 000004
【図３】
2010136924.tif 000005
【図４】
2010136924.tif 000006
【図５】
2010136924.tif 000007
【図６】
2010136924.tif 000008
【図７】
2010136924.tif 000009
【図８】
2010136924.tif 000010
【図９】
2010136924.tif 000011
【図１０】
2010136924.tif 000012